(57)【要約】【課題】様々な構成の穴の内径を測定することができるゲージを提供することである。【解決手段】板状の測定部２と、測定部２の上面２１のうち縁部２１ａ近傍から延びている柱状の把持部３と、を備える、ゲージ１である。上面視において、測定部２の形状を、円形状、多角形状および曲線状から選ばれる１種にすることができる。把持部３は、測定部２と一体に成形されている。把持部３は、上面２から離れるにつれて外方に屈曲する屈曲部を有していてもよい。ゲージ１は、スプリントアバットメントアングルポスト用である。【選択図】図１
0003189181.tif 000002
【実用新案登録請求の範囲】
【請求項１】
板状の測定部と、
前記測定部の上面のうち縁部近傍から延びている柱状の把持部と、を備える、ゲージ。
【請求項２】
上面視において、前記測定部の形状が、円形状、多角形状および曲線状から選ばれる１種である、請求項１に記載のゲージ。
【請求項３】
前記把持部が、前記測定部と一体に成形されている、請求項１または２に記載のゲージ。
【請求項４】
前記把持部が、前記上面から離れるにつれて外方に屈曲する屈曲部を有する、請求項１〜３のいずれかに記載のゲージ。
【請求項５】
スプリントアバットメントアングルポスト用である、請求項１〜４のいずれかに記載のゲージ。
【考案の詳細な説明】
【技術分野】
【０００１】
本考案は、穴の内径を測定するゲージに関する。
【背景技術】
【０００２】
穴の内径を測定するゲージとして、ピンゲージが知られている（例えば、非特許文献１，２参照）。ピンゲージは、円柱状のゲージであり、穴に挿通してその通り止まりを確認するという簡単な方法で穴の内径を測定できるため、製品の内径精度を担保するのに使用することが多い。
【０００３】
しかし、ピンゲージは、上述のとおり、その形状が円柱状であるため、測定できる穴が単純な構成に限定され、複雑な構成の穴に対しては使用できないという問題があった。具体例を挙げて説明すると、歯科インプラントに使用されるパーツとして、図２に示すスプリントアバットメントアングルポスト（以下、「ポスト」と言うことがある。）１００が知られている。ポスト１００は、着脱性およびメンテナンス性に優れフィクスチャーの平行性に問題がある症例においても連冠補綴し易いスクリュー固定式の補綴物に対応する上部構造パーツの１つである。
【０００４】
上述したポスト１００は、補綴物用の第１穴１０１およびフィクスチャー用の第２穴１０２を有する。これら２つの穴のうち第２穴１０２においては、被測定部１０２ａにおける内径Ｄ１０２を測定する必要がある。
【０００５】
ところが、第２穴１０２は、被測定部１０２ａの一部を上方から覆うように位置している傾斜部１０２ｂを有するため、第２穴１０２を上方から見たとき、被測定部１０２ａの一部が傾斜部１０２ｂによって覆われた状態になる。それゆえ、第２穴１０２に関しては、測定に時間を要する工具顕微鏡等を使用したとしても、内径Ｄ１０２を測定することはできない。このような第２穴１０２の内径Ｄ１０２をゲージによって簡単に測定できれば便利である。
【０００６】
しかし、第２穴１０２は、傾斜部１０２ｂと被測定部１０２ａとの接続部１０２ｃ周辺において折れ曲がっているため、円柱状のピンゲージでは、その先端部が接続部１０２ｃ周辺に当接してしまい、内径Ｄ１０２を測定することができない。したがって、単純な構成のみならず第２穴１０２のような複雑な構成に対しても使用できるゲージが要望されていた。
【先行技術文献】
【非特許文献】
【０００７】
【非特許文献１】“Master Pin Gauge”、［online］、株式会社アイゼン、［平成２５年１２月９日検索］、インターネット＜URL:http://eisen.gr.jp/html_pj/pin_mast.html＞
【非特許文献２】“ピンゲージ”、［online］、新潟精機株式会社、［平成２５年１２月９日検索］、インターネット＜URL:http://www.niigataseiki.co.jp/product_detail_pt01.html＞
【考案の概要】
【考案が解決しようとする課題】
【０００８】
本考案の課題は、様々な構成の穴の内径を測定することができるゲージを提供することである。
【課題を解決するための手段】
【０００９】
本考案者は、上記課題を解決すべく鋭意研究を重ねた結果、以下の構成からなる解決手段を見出し、本考案を完成するに至った。
（１）板状の測定部と、前記測定部の上面のうち縁部近傍から延びている柱状の把持部と、を備える、ゲージ。
（２）上面視において、前記測定部の形状が、円形状、多角形状および曲線状から選ばれる１種である、前記（１）に記載のゲージ。
（３）前記把持部が、前記測定部と一体に成形されている、前記（１）または（２）に記載のゲージ。
（４）前記把持部が、前記上面から離れるにつれて外方に屈曲する屈曲部を有する、前記（１）〜（３）のいずれかに記載のゲージ。
（５）スプリントアバットメントアングルポスト用である、前記（１）〜（４）のいずれかに記載のゲージ。
【考案の効果】
【００１０】
本考案によれば、様々な構成の穴の内径を簡単に測定することができるという効果がある。
【図面の簡単な説明】
【００１１】
【図１】本考案の一実施形態に係るゲージを示す図であり、（ａ）は斜視図、（ｂ）は側面図、（ｃ）は平面図である。
【図２】一般的なスプリントアバットメントアングルポストを示す図であり、（ａ）は斜視図、（ｂ）は断面図である。
【図３】（ａ）〜（ｃ）は、図１に示すゲージによって図２に示すスプリントアバットメントアングルポストの内径を測定する手順を示す説明図である。
【図４】（ａ）〜（ｃ）は、本考案の他の実施形態に係るゲージが備える測定部を示す平面図である。
【図５】本考案のさらに他の実施形態に係るゲージを示す斜視図である。
【考案を実施するための形態】
【００１２】
以下、本考案の一実施形態に係るゲージについて、スプリントアバットメントアングルポスト用である場合を例にとって、図１〜図３を参照して詳細に説明する。
【００１３】
図１に示すように、本実施形態のゲージ１は、板状の測定部２および柱状の把持部３を備えており、大略、これらによって構成されている。このような構成によれば、簡単な構成でありながら、ポスト１００の被測定部１０２ａにおける内径Ｄ１０２を測定することが可能となる。以下、本実施形態のゲージ１の各構成要素について、順に説明する。
【００１４】
本実施形態の測定部２は、図２および図３に示すように、被測定部１０２ａにおける内径Ｄ１０２を測定する部位であり、被測定部１０２ａに対応する形状を有する。本実施形態では、被測定部１０２ａが円筒状であることから、測定部２は円板状に構成されている。
【００１５】
より具体的に説明すると、図１に示すように、本実施形態の測定部２は、円形状の上面２１と、上面２１と同一形状の下面２２と、上面２１および下面２２のそれぞれと接続している曲面状の側面２３と、を有する。したがって、本実施形態の測定部２は、上面視において円形状である。上面視とは、図１（ｃ）に示すように、上面２１側から測定部２を見た状態を意味するものとする。
【００１６】
また、本実施形態では、側面視において、上面２１および下面２２が互いに平行であり、かつ側面２３が上面２１および下面２２のそれぞれと垂直に接続している。側面視とは、図１（ｂ）に示すように、側面２３側から測定部２を見た状態を意味するものとする。
【００１７】
図３（ａ），（ｃ）に示すように、測定部２の厚みＴ２は、被測定部１０２ａの厚みＴ１０２よりも若干小さいか、または被測定部１０２ａの厚みＴ１０２と実質的に同一であるのが好ましい。本実施形態では、測定部２の厚みＴ２が、被測定部１０２ａの厚みＴ１０２と実質的に同一である。なお、測定部２の厚みＴ２を、被測定部１０２ａの厚みＴ１０２よりも若干小さくする場合には、測定部２の強度を維持可能な範囲で、厚みＴ２を厚みＴ１０２よりも若干小さくすればよい。
【００１８】
上述した測定部２の構成材料としては、例えば超硬合金等が挙げられるが、これに限定されるものではない。
【００１９】
一方、把持部３は、測定者の手指等によって把持される部位である。図１に示すように、本実施形態の把持部３は、上述した測定部２の上面２１のうち縁部２１ａ近傍から延びている。このような構成によれば、図３（ａ），（ｂ）に示すように、測定部２を第２穴１０２の内部へスライドさせるようにして挿入することができ、測定部２を被測定部１０２ａの直上に位置させることができる。そして、図３（ｃ）に示すように、測定部２を被測定部１０２ａに挿通することができる。それゆえ、本実施形態のゲージ１によれば、簡単な構成でありながら、従来の円柱状のピンゲージでは、その先端部が接続部１０２ｃ周辺に当接するために測定することができなかった内径Ｄ１０２の測定が可能となる。
【００２０】
なお、上述した縁部２１ａ近傍とは、上面２１のうち測定部２の中心軸Ｓから縁部２１ａ側にずれた領域のことを意味するものとする。測定部２の中心軸Ｓとは、測定部２の上面２１および下面２２を貫く軸であり、上面視において、測定部２を回転させたときに回転軸となる軸を意味するものとする。
【００２１】
本実施形態の把持部３は、測定部２の上面２１に対して略垂直に延びている。また、本実施形態では、図１（ｂ）に示すように、把持部３の直径Ｄ３が、測定部２の直径Ｄ２よりも小さく構成されている。
【００２２】
本実施形態の把持部３は、円柱状である。なお、把持部３の形状は、測定者の手指等によって把持可能な限り、円柱状に限定されるものではなく、例えば角柱状等の他の形状であってもよい。
【００２３】
本実施形態の把持部３は、測定部２と一体に成形されている。このような構成によれば、把持部３と測定部２との接続強度が向上することから、把持部３が測定部２から外れるのを抑制することができる。なお、把持部３は、測定部２と別部材で構成して、測定部２に取り付けることもできる。
【００２４】
上述した把持部３の構成材料としては、所望の構成材料を採用することができ、特に限定されるものではない。
【００２５】
次に、上述した本実施形態のゲージ１によってポスト１００の被測定部１０２ａにおける内径Ｄ１０２を測定する手順について説明する。被測定部１０２ａにおける内径Ｄ１０２は、所定の寸法公差を有するため、内径Ｄ１０２の測定には、寸法公差の上限値および下限値にそれぞれ対応する２種類のゲージ１が必要である。
【００２６】
本実施形態では、被測定部１０２ａにおける内径Ｄ１０２が以下のような寸法公差を有し、この内径Ｄ１０２を以下のような第１ゲージ１Ａおよび第２ゲージ１Ｂによって測定する。
内径Ｄ１０２の寸法公差：２．４ｍｍ以上２．６ｍｍ未満
第１ゲージ１Ａ：測定部２の直径Ｄ２が２．４ｍｍ
第２ゲージ１Ｂ：測定部２の直径Ｄ２が２．６ｍｍ
【００２７】
第１ゲージ１Ａは、上述のとおり、測定部２の直径Ｄ２が２．４ｍｍであり、この値は内径Ｄ１０２の寸法公差の下限値に相当する。このような直径Ｄ２を有する第１ゲージ１Ａは、いわゆる通りゲージと呼ばれるものであり、第１ゲージ１Ａの測定部２を被測定部１０２ａに挿通できれば、内径Ｄ１０２は２．４ｍｍ以上であることになる。逆に、第１ゲージ１Ａの測定部２を被測定部１０２ａに挿通できなければ、被測定部１０２ａにおける内径Ｄ１０２は２．４ｍｍ未満であり、寸法公差の範囲外と判定することができる。
【００２８】
一方、第２ゲージ１Ｂは、上述のとおり、測定部２の直径Ｄ２が２．６ｍｍであり、この値は被測定部１０２ａにおける内径Ｄ１０２の寸法公差の上限値よりも大きい値である。このような直径Ｄ２を有する第２ゲージ１Ｂは、いわゆる止まりゲージと呼ばれるものであり、第２ゲージ１Ｂの測定部２を被測定部１０２ａに挿通できなければ、内径Ｄ１０２は２．６ｍｍ未満であることになる。逆に、第２ゲージ１Ｂの測定部２を被測定部１０２ａに挿通できれば、被測定部１０２ａにおける内径Ｄ１０２は２．６ｍｍ以上であり、寸法公差の範囲外と判定することができる。
【００２９】
上述した２つのゲージのうち、まず、第１ゲージ１Ａによる測定手順について説明する。図３（ａ）に示すように、第１ゲージ１Ａの把持部３を測定者の手指等によって把持しつつ、第１ゲージ１Ａを矢印Ｘ方向に動かして第２穴１０２の開口部１０２ｄに近づける。このとき、第１ゲージ１Ａの測定部２のうち部位２ａが、第２穴１０２の開口部１０２ｄと対向するような状態で、第１ゲージ１Ａを矢印Ｘ方向に動かす。部位２ａは、測定部２のうち把持部３から最も離れて位置する上面２１の縁部２１ａ周辺の部位である。
【００３０】
次に、第１ゲージ１Ａを矢印Ｘ方向にそのまま動かし、測定部２を第２穴１０２の内部へ挿入する。このとき、把持部３が測定部２の上面２１における縁部２１ａ近傍から延びていることから、測定部２を部位２ａ側から第２穴１０２の内部へスムーズに挿入することができる。その結果、図３（ｂ）に示すように、第１ゲージ１Ａの測定部２を、被測定部１０２ａの直上に位置させることができる。
【００３１】
最後に、第１ゲージ１Ａを矢印Ｙ方向に動かし、図３（ｃ）に示すように、第１ゲージ１Ａの測定部２を被測定部１０２ａに挿通し、その通り止まりを確認する。本実施形態では、第１ゲージ１Ａの測定部２を被測定部１０２ａに挿通できていることから、内径Ｄ１０２は２．４ｍｍ以上であるのがわかる。
【００３２】
第２ゲージ１Ｂによる測定手順は、第１ゲージ１Ａと同様である。したがって、上述した第１ゲージ１Ａによる測定手順と同様にして、第２ゲージ１Ｂの測定部２を被測定部１０２ａに挿通し、その通り止まりを確認する（不図示）。そして、上述した第１ゲージ１Ａによる測定結果と併せて、被測定部１０２ａにおける内径Ｄ１０２が、２．４ｍｍ以上２．６ｍｍ未満の寸法公差を有するか否かの判定をする。
【００３３】
以上、本考案に係る好ましい実施形態について例示したが、本考案は上述した実施形態に限定されるものではなく、本考案の要旨を逸脱しない限り任意のものとすることができることは言うまでもない。
【００３４】
例えば、上述の実施形態では、上面視において、測定部２が円形状であるが、これに代えて、測定部２を多角形状または曲線状にすることができる。言い換えれば、上面視において、測定部２の形状を、円形状、多角形状および曲線状から選ばれる１種にすることができる。このような構成によれば、ゲージ１をポスト１００用のみならず、様々な構成の穴の内径を測定するのに使用することができる。
【００３５】
上面視において、測定部２を多角形状に構成した実施形態を図４（ａ），（ｂ）に示し、曲線状にした実施形態を図４（ｃ）に示す。図４（ａ）では、測定部２Ａを四角形状に、図４（ｂ）では、測定部２Ｂを六角形状にそれぞれ構成している。図４（ｃ）では、測定部２Ｃを、外方に凸の曲線状部位２Ｃ１と内方に凸の曲線状部位２Ｃ２とを交互に接続してなる、いわゆるヘックスローブ状に構成している。なお、測定部２が多角形状または曲線状である場合の構成は、例示した測定部２Ａ〜２Ｃに限定されるものではない。
【００３６】
また、上述の実施形態では、側面視において、側面２３が上面２１および下面２２のそれぞれと垂直に接続しているが、これに代えて、側面２３をテーパ状にすることができる。すなわち、上面２１のサイズを下面２２のサイズよりも大きくし、側面視において、側面２３を上面２１から下面２２に向かうにつれて測定部２の中心軸Ｓに近づくように傾斜させることができる。このような構成によれば、測定する穴がテーパ状である場合にも対応することができる。
【００３７】
また、上述の実施形態では、把持部３が測定部２の上面２１に対して略垂直に延びているが、把持部３が延びる方向は、測定する穴に応じて適宜変更することができる。その際、所定の方向に屈曲する屈曲部を採用することができる。
【００３８】
屈曲部を採用した実施形態を図５に示す。図５に示すように、本実施形態のゲージ１’は、把持部３が、上面２１から離れるにつれて外方に屈曲する屈曲部３１を有する。このような構成によっても、上述したゲージ１と同様の効果を奏することができる。なお、本実施形態では、屈曲部３１の数が１つであるが、所定の方向に屈曲する屈曲部の数は、１つであってもよいし、複数であってもよい。
【符号の説明】
【００３９】
１，１’  ゲージ
１Ａ  第１ゲージ
２，２Ａ〜２Ｃ  測定部
２１  上面
２１ａ  縁部
２２  下面
２３  側面
Ｄ２  直径
Ｔ２  厚み
２ａ  部位
２Ｃ１  外方に凸の曲線状部位
２Ｃ２  内方に凸の曲線状部位
３  把持部
Ｄ３  直径
３１  屈曲部
１００  スプリントアバットメントアングルポスト
１０１  第１穴
１０２  第２穴
１０２ａ  被測定部
１０２ｂ  傾斜部
１０２ｃ  接続部
１０２ｄ  開口部
Ｄ１０２  内径
Ｔ１０２  厚み
【図１】
0003189181.tif 000003
【図２】
0003189181.tif 000004
【図３】
0003189181.tif 000005
【図４】
0003189181.tif 000006
【図５】
0003189181.tif 000007